(57)【要約】【課題】ユーザが外部の端末装置から特段の設定や制御の指示を行うことなく、情報処理装置に対して所定の設定や制御を行うことができる情報処理システムを提供する。【解決手段】情報処理装置１は、情報処理装置１のニックネームを示すニックネーム情報を受信するニックネーム情報受信部１１と、ニックネーム情報と、情報処理装置１の制御に関する情報である制御情報を取得するための情報であるアクセス情報とを対応付ける情報である対応情報を記憶している対応情報サーバ装置５にアクセスし、ニックネーム情報に対応するアクセス情報を取得するアクセス情報取得部１２と、取得されたアクセス情報を用いて、制御情報サーバ装置６から制御情報を取得する制御情報取得部１３と、制御情報取得部１３が取得した制御情報に基づいて、情報処理装置１における制御を行う制御部１４と、を備える。【選択図】図１
2006146405.tif 000002
【特許請求の範囲】
【請求項１】
端末装置と、サーバ装置と、情報処理装置とを備えた情報処理システムであって、
前記端末装置において前記情報処理装置のニックネームを示す情報であるニックネーム情報が受け付けられ、当該ニックネーム情報に関する情報が前記サーバ装置を経由して前記端末装置から前記情報処理装置に送信され、前記情報処理装置において、前記サーバ装置から送信された情報に基づいて、前記端末装置で受け付けられたニックネーム情報に対応する情報であり、前記情報処理装置の制御に関する情報である制御情報が取得され、前記情報処理装置で当該制御情報を用いた制御が行われる、情報処理システム。
【請求項２】
サーバ装置と、情報処理装置とを備えた情報処理システムであって、
前記サーバ装置は、
前記情報処理装置のニックネームを示す情報であるニックネーム情報を含む情報であり、当該ニックネーム情報の前記情報処理装置への送信を要求する情報である要求情報を受信する要求情報受信部と、
前記要求情報受信部が要求情報を受信した場合に、前記ニックネーム情報を前記情報処理装置に送信するニックネーム情報送信部と、を備え、
前記情報処理装置は、
前記ニックネーム情報を受信するニックネーム情報受信部と、
前記ニックネーム情報と、当該ニックネーム情報に対応する、前記情報処理装置の制御に関する情報である制御情報を取得するための情報であるアクセス情報とを対応付ける情報である対応情報にアクセスし、前記ニックネーム情報受信部が受信したニックネーム情報に対応するアクセス情報を取得するアクセス情報取得部と、
前記アクセス情報取得部が取得したアクセス情報を用いて、前記制御情報を取得する制御情報取得部と、
前記制御情報取得部が取得した制御情報に基づいて、前記情報処理装置における制御を行う制御部と、を備えた、情報処理システム。
【請求項３】
前記対応情報を記憶している対応情報サーバ装置をさらに備え、
前記アクセス情報取得部は、前記対応情報サーバ装置から前記アクセス情報を取得する、請求項２記載の情報処理システム。
【請求項４】
前記情報処理装置は、
前記対応情報を記憶している対応情報記憶部をさらに備え、
前記アクセス情報取得部は、前記対応情報記憶部から前記アクセス情報を取得する、請求項２記載の情報処理システム。
【請求項５】
前記制御情報を記憶している制御情報サーバ装置をさらに備え、
前記制御情報取得部は、前記制御情報サーバ装置から前記制御情報を取得する、請求項２から４のいずれか記載の情報処理システム。
【請求項６】
前記情報処理装置は、
前記制御情報を記憶している制御情報記憶部をさらに備え、
前記制御情報取得部は、前記制御情報記憶部から前記制御情報を取得する、請求項２から４のいずれか記載の情報処理システム。
【請求項７】
前記要求情報を前記サーバ装置に送信する端末装置をさらに備えた、請求項２から６のいずれか記載の情報処理システム。
【請求項８】
前記情報処理装置と前記サーバ装置との間の通信に関する処理を行う通信処理装置をさら
に備えた、請求項２から７のいずれか記載の情報処理システム。
【請求項９】
請求項２から８のいずれか記載の情報処理システムを構成する情報処理装置。
【請求項１０】
請求項２から８のいずれか記載の情報処理システムを構成するサーバ装置。
【請求項１１】
端末装置と、サーバ装置と、情報処理装置とを備えた情報処理システムにおいて用いられる情報処理方法であって、
前記端末装置において前記情報処理装置のニックネームを示す情報であるニックネーム情報が受け付けられ、当該ニックネーム情報に関する情報が前記サーバ装置を経由して前記端末装置から前記情報処理装置に送信され、前記情報処理装置において、前記サーバ装置から送信された情報に基づいて、前記端末装置で受け付けられたニックネーム情報に対応する情報であり、前記情報処理装置の制御に関する情報である制御情報が取得され、当該制御情報を用いた制御が行われる、情報処理方法。
【請求項１２】
サーバ装置と、情報処理装置とを備えた情報処理システムにおける前記サーバ装置において用いられる情報処理方法であって、
前記情報処理装置のニックネームを示す情報であるニックネーム情報を含む情報であり、当該ニックネーム情報の前記情報処理装置への送信を要求する情報である要求情報を受信する要求情報受信ステップと、
前記要求情報に応じて、前記ニックネーム情報を前記情報処理装置に送信するニックネーム情報送信ステップと、を備えた情報処理方法。
【請求項１３】
サーバ装置と、情報処理装置とを備えた情報処理システムにおける前記情報処理装置において用いられる情報処理方法であって、
前記情報処理装置のニックネームを示す情報であるニックネーム情報を受信するニックネーム情報受信ステップと、
前記ニックネーム情報と、当該ニックネーム情報に対応する、前記情報処理装置の制御に関する情報である制御情報を取得するための情報であるアクセス情報とを対応付ける情報である対応情報にアクセスし、前記ニックネーム情報受信ステップで受信したニックネーム情報に対応するアクセス情報を取得するアクセス情報取得ステップと、
前記アクセス情報取得ステップで取得したアクセス情報を用いて、前記制御情報を取得する制御情報取得ステップと、
前記制御情報取得ステップで取得した制御情報に基づいて、前記情報処理装置における制御を行う制御ステップと、を備えた情報処理方法。
【請求項１４】
コンピュータに、
サーバ装置と、情報処理装置とを備えた情報処理システムを構成する前記サーバ装置における処理を実行させるためのプログラムであって、
前記情報処理装置のニックネームを示す情報であるニックネーム情報を含む情報であり、当該ニックネーム情報の前記情報処理装置への送信を要求する情報である要求情報を受信する要求情報受信ステップと、
前記要求情報に応じて、前記ニックネーム情報を前記情報処理装置に送信するニックネーム情報送信ステップと、を実行させるためのプログラム。
【請求項１５】
コンピュータに、
サーバ装置と、情報処理装置とを備えた情報処理システムにおける前記情報処理装置における処理を実行させるためのプログラムであって、
前記情報処理装置のニックネームを示す情報であるニックネーム情報を受信するニックネーム情報受信ステップと、
前記ニックネーム情報と、当該ニックネーム情報に対応する、前記情報処理装置の制御に関する情報である制御情報を取得するための情報であるアクセス情報とを対応付ける情報である対応情報にアクセスし、前記ニックネーム情報受信ステップで受信したニックネーム情報に対応するアクセス情報を取得するアクセス情報取得ステップと、
前記アクセス情報取得ステップで取得したアクセス情報を用いて、前記制御情報を取得する制御情報取得ステップと、
前記制御情報取得ステップで取得した制御情報に基づいて、前記情報処理装置における制御を行う制御ステップと、を実行させるためのプログラム。
【発明の詳細な説明】
【技術分野】
【０００１】
本発明は、情報処理装置とサーバ装置とが通信を行う情報処理システム等に関する。
【背景技術】
【０００２】
近年、情報処理装置とサーバ装置とが通信を行う情報処理システムにおいて、例えば、家庭内のコンピュータやエアコン、調理機器などの情報処理装置に、携帯電話等の外部の端末装置からアクセスする技術に関連した開発がなされている（例えば、特許文献１、２参照）。
ユーザは、携帯電話等から家庭内の情報処理装置にアクセスし、その家庭内の情報処理装置を遠隔操作することができる。
【特許文献１】国際公開第２００３／０１２４０２号パンフレット（第１頁、第１図等）
【特許文献２】国際公開第２００４／０３０２９２号パンフレット（第１頁、第１図等）
【発明の開示】
【発明が解決しようとする課題】
【０００３】
しかしながら、ユーザが携帯電話等から家庭内の情報処理装置を遠隔操作して、ユーザの好みに合うように情報処理装置の設定や制御を行う場合には、ユーザ自身が携帯電話等から情報処理装置に対して、設定や制御の情報を送信する必要があった。例えば、家庭内の冷蔵庫にどのような食品等が入っているのかを、外部の携帯電話から冷蔵庫にアクセスして参照できる場合に、アクセスするユーザごとに食品等への興味が異なる場合がある。夕食のための買い物をしているユーザであれば、夕食のための食材が冷蔵庫に入っているかどうかに興味があるかもしれない。一方、仕事帰りのユーザであれば、帰宅してから飲むためのビールが冷えているかどうかに興味があるかもしれない。そのような場合に、ユーザ自身が携帯電話から冷蔵庫に指示を出すことにより、例えば、ビールが冷えているかどうかだけを携帯電話に送信させるようにすることは、煩雑な作業をユーザに強いることとなる。一方、どのような場合にも、冷蔵庫の中に入っているすべての食品等のリストを携帯電話に表示することは、ユーザフレンドリーでない。
【０００４】
本発明は、上記問題点を解決するためになされたものであり、ユーザが外部の端末装置から特段の設定や制御の指示を行うことなく、家庭内等の情報処理装置に対して設定や制御を行うことができる情報処理システム等を提供することを目的とする。
【課題を解決するための手段】
【０００５】
上記目的を達成するため、本発明による情報処理システムは、サーバ装置と、情報処理装置とを備えた情報処理システムであって、前記サーバ装置は、前記情報処理装置のニックネームを示す情報であるニックネーム情報を含む情報であり、当該ニックネーム情報の前記情報処理装置への送信を要求する情報である要求情報を受信する要求情報受信部と、前記要求情報受信部が要求情報を受信した場合に、前記ニックネーム情報を前記情報処理装置に送信するニックネーム情報送信部と、を備え、前記情報処理装置は、前記ニックネーム情報を受信するニックネーム情報受信部と、前記ニックネーム情報と、当該ニックネーム情報に対応する、前記情報処理装置の制御に関する情報である制御情報を取得するための情報であるアクセス情報とを対応付ける情報である対応情報にアクセスし、前記ニックネーム情報受信部が受信したニックネーム情報に対応するアクセス情報を取得するアクセス情報取得部と、前記アクセス情報取得部が取得したアクセス情報を用いて、前記制御情報を取得する制御情報取得部と、前記制御情報取得部が取得した制御情報に基づいて、
前記情報処理装置における制御を行う制御部と、を備えた、ものである。
【０００６】
このような構成により、情報処理装置において、サーバ装置から送信されたニックネーム情報に対応する制御が行われることになる。したがって、例えば、ユーザが、所定のニックネーム情報を情報処理装置に送信することをサーバ装置に指示することのみによって、情報処理装置において、ユーザ所望の制御が行われうるようにすることができうる。
【発明の効果】
【０００７】
本発明による情報処理システムによれば、ユーザが外部の端末装置からアクセスする情報処理装置のニックネームを示す情報であるニックネーム情報を用いることにより、そのニックネーム情報に対応した制御が情報処理装置において行われる。したがって、ユーザ自らが特段の設定や制御を行うことなく、情報処理装置に対して何らかの設定や制御を容易に行うことができうる。
【発明を実施するための最良の形態】
【０００８】
（実施の形態１）
本発明の実施の形態１による情報処理システムについて、図面を参照しながら説明する。
図１は、本実施の形態による情報処理システムの構成を示す図である。図１において、本実施の形態による情報処理システムは、情報処理装置１と、通信処理装置２と、端末装置３と、サーバ装置４と、対応情報サーバ装置５と、制御情報サーバ装置６とを備える。なお、通信処理装置２と、端末装置３と、サーバ装置４と、対応情報サーバ装置５と、制御情報サーバ装置６とは、有線または無線の通信回線１００で接続されている。通信回線１００は、例えば、インターネットやイントラネット、公衆電話網などである。この通信回線１００は、複数の回線から構成されてもよい。例えば、端末装置３とサーバ装置４とは、公衆電話網で接続されており、通信処理装置２と、サーバ装置４と、対応情報サーバ装置５と、制御情報サーバ装置６とは、インターネットで接続されていてもよい。また、図１において、説明の便宜上、通信処理装置２に１個の情報処理装置１のみが接続されている場合について説明するが、通信処理装置２に２個以上の情報処理装置が接続されていてもよい。
【０００９】
情報処理装置１は、ニックネーム情報受信部１１と、アクセス情報取得部１２と、制御情報取得部１３と、制御部１４とを備える。情報処理装置１は、例えば、コンピュータ、電子レンジ、電話機、プリンタ、ファクシミリ装置、冷蔵庫、洗濯機、空調装置、テレビ、映像録画装置、セットトップボックス等である。
【００１０】
ニックネーム情報受信部１１は、サーバ装置４から通信処理装置２を介して送信されたニックネーム情報を受信する。ここで、ニックネーム情報とは、情報処理装置１のニックネームを示す情報であり、情報処理装置１と、その情報処理装置１の実行する制御処理とを示す情報となっている。ニックネーム情報は、例えば、「パパの冷蔵庫」や、「ママの洗濯機」などである。情報処理装置１には、１以上のニックネーム情報が対応している。ユーザは、ニックネーム情報を用いて端末装置３から情報処理装置１にアクセスすることにより、そのニックネーム情報によって示されるニックネームに対応した制御等が情報処理装置１においてなされることになる。詳細については後述する。なお、ニックネーム情報受信部１１は、受信を行うための受信デバイス（例えば、モデムやネットワークカードなど）を含んでもよく、あるいは含まなくてもよい（この場合には、ニックネーム情報受信部１１と通信処理装置２との間に図示しない受信デバイスが存在することとなる）。また、ニックネーム情報受信部１１は、ハードウェアによって実現されてもよく、あるいは受信デバイスを駆動するドライバ等のソフトウェアによって実現されてもよい。
【００１１】
アクセス情報取得部１２は、対応情報にアクセスし、その対応情報を用いて、ニックネーム情報受信部１１が受信したニックネーム情報に対応するアクセス情報を取得する。ここで、対応情報とは、ニックネーム情報と、アクセス情報とを対応付ける情報である。この対応情報は、本実施の形態で説明するように、情報処理装置１の外部で保持されていてもよく、あるいは、他の実施の形態で説明するように情報処理装置１で保持されていてもよい。アクセス情報とは、ニックネーム情報に対応する制御情報を取得するために用いられる情報である。アクセス情報は、例えば、制御情報の保持されている装置のアドレスを示す情報や、制御情報の保持されているアドレス（例えば、ＵＲＬなど）を示す情報、制御情報の名称を示す情報などである。制御情報とは、情報処理装置１の制御に関する情報である。例えば、情報処理装置１が空調装置である場合には、制御情報によって、温度設定や運転時間、風量などの制御が行われる。「ニックネーム情報と、アクセス情報とを対応付ける」とは、ニックネーム情報からアクセス情報を取得できればよいという意味である。したがって、対応情報は、ニックネーム情報とアクセス情報とを含むレコードを有してもよく、ニックネーム情報とアクセス情報とをリンク付ける情報であってもよい。後者の例としては、対応情報が、ニックネーム情報と、アクセス情報の格納されているアドレスを示す情報とを含むレコードを有するものである場合がある。その場合には、ニックネーム情報に対応するアクセス情報を、そのアドレスを示す情報を用いて取得できる。本実施の形態では、前者の場合、すなわち対応情報がニックネーム情報とアクセス情報とを含むレコードを有する場合について説明する。なお、アクセス情報取得部１２は、対応情報サーバ装置５にアクセスするための通信デバイス（例えば、モデムやネットワークカードなど）を含んでもよく、あるいは含まなくてもよい。また、アクセス情報取得部１２は、ハードウェアによって実現されてもよく、あるいは通信デバイスを駆動するドライバ等のソフトウェアによって実現されてもよい。
【００１２】
制御情報取得部１３は、アクセス情報取得部１２が取得したアクセス情報を用いて、ニックネーム情報受信部１１が受信したニックネーム情報に対応する制御情報を取得する。制御情報取得部１３が取得する制御情報は、本実施の形態で説明するように情報処理装置１の外部で保持されていてもよく、あるいは、他の実施の形態で説明するように情報処理装置１で保持されていてもよい。なお、制御情報取得部１３は、制御情報サーバ装置６にアクセスするための通信デバイス（例えば、モデムやネットワークカードなど）を含んでもよく、あるいは含まなくてもよい。また、制御情報取得部１３は、ハードウェアによって実現されてもよく、あるいは通信デバイスを駆動するドライバ等のソフトウェアによって実現されてもよい。
【００１３】
制御部１４は、制御情報取得部１３が取得した制御情報に基づいて、情報処理装置１における制御を行う。この制御が行われることによって、情報処理装置１において、ニックネーム情報に対応した処理や設定が行われることになる。すなわち、異なる制御情報によって、情報処理装置１において異なる制御が行われることになる。例えば、上述のように情報処理装置１が空調装置である場合には、制御情報によって、温度設定や風量などの制御が行われる。ここで、制御情報取得部１３が取得した制御情報は、制御部１４が情報処理装置１の制御において用いる情報の全部であってもよく、一部であってもよい。後者の場合としては、制御情報取得部１３が取得した制御情報によって、例えば、空調装置の温度や風量などのパラメータが示される場合などがある。すなわち、制御部１４は、別途記憶されている制御プログラムを用いて情報処理装置１の制御を行い、その制御において、制御情報の示すパラメータを用いてもよい。
【００１４】
なお、ニックネーム情報受信部１１や、アクセス情報取得部１２、制御情報取得部１３は、物理的に同一の通信手段（通信デバイス）を用いてもよく、あるいは、それぞれが別々の通信手段を用いてもよい。
【００１５】
通信処理装置２は、情報処理装置１と、サーバ装置４や対応情報サーバ装置５、制御情報サーバ装置６との間の通信に関する処理を行う。通信処理装置２は、プライベートアドレスとグローバルアドレスとの間で相互にアドレス変換を行うＮＡＴ（Ｎｅｔｗｏｒｋ  Ａｄｄｒｅｓｓ  Ｔｒａｎｓｌａｔｉｏｎ）機能を有する装置であってもよく、パケットフィルタリングのファイアウォール（Ｆｉｒｅｗａｌｌ）の機能を有する装置であってもよく、あるいは、その両者を有する装置であってもよい。本実施の形態では、通信処理装置２がＮＡＴ機能を有する装置である場合について説明する。ここで、パケットフィルタリングとは、例えば、受信フィルタルールに基づいた受信パケットの選択を行うものである。受信フィルタルールには、例えば、そのポートからパケットを送信したアドレスからのみしかパケットを受信しないＡｄｄｒｅｓｓ  Ｓｅｎｓｉｔｉｖｅフィルタ、そのポートからパケットを送信したポートからのみしかパケットを受信しないＰｏｒｔ  Ｓｅｎｓｉｔｉｖｅフィルタ、フィルタが存在しないＮｏフィルタがある。
【００１６】
端末装置３は、要求情報をサーバ装置４に送信する。ここで、要求情報とは、ニックネーム情報を情報処理装置１に送信することを要求する情報である。要求情報は、その送信を要求するニックネーム情報を含む。なお、要求情報には要求（指示や命令）が含まれておらず、例えば、ニックネーム情報が要求情報に含まれることによって、サーバ装置４において要求情報であると判断されてもよい。端末装置３は、要求情報に含まれるニックネーム情報をユーザ等の入力によって受け付けるものとする。このニックネーム情報の受け付けには、ユーザがあらかじめ端末装置３において保持されている１以上のニックネーム情報から１つのニックネーム情報を選択することを含むものとする。端末装置３は、例えば、携帯電話や、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）などである。
【００１７】
サーバ装置４は、要求情報受信部４１と、ニックネーム情報送信部４２とを備える。
要求情報受信部４１は、端末装置３から送信された要求情報を受信する。なお、要求情報受信部４１は、受信を行うための受信デバイス（例えば、モデムやネットワークカードなど）を含んでもよく、あるいは含まなくてもよい（この場合には、要求情報受信部４１と通信回線１００との間に図示しない受信デバイスが存在することとなる）。また、要求情報受信部４１は、ハードウェアによって実現されてもよく、あるいは受信デバイスを駆動するドライバ等のソフトウェアによって実現されてもよい。
【００１８】
ニックネーム情報送信部４２は、要求情報受信部４１が要求情報を受信した場合に、ニックネーム情報を情報処理装置１に送信する。ニックネーム情報送信部４２が送信するニックネーム情報は、要求情報に含まれていたものである。ここで、「ニックネーム情報を情報処理装置１に送信する」ことには、ニックネーム情報の送信先を通信処理装置２のＷＡＮ側のアドレスにする場合を含むものとする。通信処理装置２がＮＡＴ機能を有する場合には、ニックネーム情報の送信先として情報処理装置１のアドレスを指定することはできないが、通信処理装置２のアドレスを指定することによって、通信処理装置２においてアドレス変換が行われ、情報処理装置１に送信されることになるからである。なお、ニックネーム情報送信部４２は、送信を行うための送信デバイス（例えば、モデムやネットワークカードなど）を含んでもよく、あるいは含まなくてもよい（この場合には、ニックネーム情報送信部４２と通信回線１００との間に図示しない送信デバイスが存在することとなる）。また、ニックネーム情報送信部４２は、ハードウェアによって実現されてもよく、あるいは送信デバイスを駆動するドライバ等のソフトウェアによって実現されてもよい。なお、要求情報受信部４１と、ニックネーム情報送信部４２とは、物理的に同一の通信手段を用いてもよく、あるいは、それぞれが別々の通信手段を用いてもよい。
【００１９】
ここで、サーバ装置４が、ニックネーム情報の送信先をどのようにして知るのかについて説明する。（１）要求情報にニックネーム情報の送信先のアドレスやポート番号等を示
すアドレス情報が含まれており、サーバ装置４は、そのアドレス情報を用いてニックネーム情報を情報処理装置１に送信してもよい。（２）要求情報にニックネーム情報と、情報処理装置１を識別する装置識別情報とが含まれている。サーバ装置４は、装置識別情報とアドレス情報とを対応付ける情報を有しており、その情報を用いてアドレス情報を取得し、その取得したアドレス情報を用いてニックネーム情報を情報処理装置１に送信してもよい。（３）要求情報にニックネーム情報と、端末装置３を識別する情報とが含まれている。サーバ装置４は、端末装置３を識別する情報とアドレス情報とを対応付ける情報を有しており、その情報を用いてアドレス情報を取得し、その取得したアドレス情報を用いてニックネーム情報を情報処理装置１に送信してもよい。（４）要求情報にはニックネーム情報が含まれている。サーバ装置４は、ニックネーム情報とアドレス情報とを対応付ける情報を有しており、その情報を用いてアドレス情報を取得し、その取得したアドレス情報を用いてニックネーム情報を情報処理装置１に送信してもよい。なお、上記（１）〜（４）以外であっても、サーバ装置４がニックネーム情報の送信先を知ることができるのであれば、その方法を用いてもよい。
【００２０】
また、端末装置３が、ニックネーム情報を情報処理装置１に直接送信するのではなく、サーバ装置４を経由して送信する理由について説明する。端末装置３が情報処理装置１に直接アクセスできるようにすると、悪意のある第三者も情報処理装置１にアクセスする可能性があり、セキュリティー上よくない。したがって、信頼できるサーバ装置４を設け、情報処理装置１は、サーバ装置４を経由して送信された情報のみを受信することで、安全性を向上させている。
【００２１】
また、情報処理装置１が通信処理装置２を介して通信回線１００に接続されている場合には、一般に、情報処理装置１から通信回線１００側に反復してパケットを送信しなければならない。通信処理装置２にアドレス変換を行う時間（「ポート維持時間」と呼ぶことにする）が設定されており、通信処理装置２において、あるアドレス変換が最後に行われてからポート維持時間だけ経過すると、通信処理装置２のＷＡＮ側から送信されたパケットに対して、そのアドレス変換が行われなくなるからである。したがって、情報処理装置１は、ニックネーム情報をいつでも受信できるように、ポート維持時間よりも短い間隔で、定期的に、あるいは不定期に反復してパケットをサーバ装置４に送信している（なお、ＵＰｎＰを用いたポート割り当てや、手動設定によるポート割り当てを行うことにより、または、ポート維持時間が無限大、もしくは十分大きな時間であることにより、パケットを反復して送信しなくてもよい場合もありうる）。そのため、情報処理装置１が通信処理装置２を介して通信を行う場合には、通信処理装置２の受信フィルタ等の種類によっては、サーバ装置４を経由しなければ、情報処理装置１にパケットを送信することができないことになる。したがって、ニックネーム情報を、サーバ装置４を経由して情報処理装置１に送信するのである。
【００２２】
対応情報サーバ装置５は、対応情報を記憶しているサーバ装置である。対応情報サーバ装置５は、情報処理装置１からのアクセスを受け付け、アクセス情報を情報処理装置１に送信する。対応情報サーバ装置５は、アクセスを受け付ける受付部や、アクセス情報を送信する送信部等を備えているが、それらについては、ファイルサーバなどの通常のサーバ装置が有するものと同様のものであり、その詳細な説明を省略する。なお、対応情報サーバ装置５は、サーバ装置４と同一の装置であってもよい。
【００２３】
制御情報サーバ装置６は、制御情報を記憶しているサーバ装置である。制御情報サーバ装置６は、情報処理装置１からのアクセスを受け付け、制御情報を情報処理装置１に送信する。制御情報サーバ装置６は、アクセスを受け付ける受付部や、制御情報を送信する送信部等を備えているが、それらについては、ファイルサーバなどの通常のサーバ装置が有するものと同様のものであり、その詳細な説明を省略する。なお、制御情報サーバ装置６
は、サーバ装置４及び／または対応情報サーバ装置５と同一の装置であってもよい。
【００２４】
なお、対応情報サーバ装置５が記憶している対応情報、制御情報サーバ装置６が記憶している制御情報は、複数の情報処理装置からアクセスされる情報（すなわち、汎用の情報）であってもよく、あるいは、特定の情報処理装置からのみアクセスされる情報（すなわち、専用の情報）であってもよい。前者の場合には、例えば、情報処理装置にアクセスするユーザが、あらかじめ業者等から提供されている対応情報や制御情報を活用することができ、ユーザ自らが、それらの情報の作成を行わなくてよいというメリットがある。後者の場合には、例えば、情報処理装置にアクセスするユーザが、ユーザ自身の好みや必要に応じて対応情報や制御情報をカスタマイズすることができ、ユーザにとって使い心地のよい環境を提供することができるというメリットがある。
【００２５】
次に、本実施の形態による情報処理システムの動作について、図２、図３のフローチャートを用いて説明する。図２は、サーバ装置４の動作を示すフローチャートであり、図３は、情報処理装置１の動作を示すフローチャートである。まず、図２のフローチャートについて説明する。
【００２６】
（ステップＳ１０１）要求情報受信部４１は、要求情報を受信したかどうか判断する。そして、要求情報を受信した場合には、その要求情報をニックネーム情報送信部４２に渡してステップＳ１０２に進み、そうでない場合には、要求情報を受け付けるまで、ステップＳ１０１の処理を繰り返す。
【００２７】
（ステップＳ１０２）ニックネーム情報送信部４２は、要求情報受信部４１から受け取った要求情報に含まれるニックネーム情報の送信先のアドレス等を取得する。この取得は、例えば、アドレス等の情報が要求情報に含まれる場合には、その要求情報から取得し、アドレス等の情報が、サーバ装置４の有するメモリ等において記憶されている場合には、そのメモリ等から取得する。
【００２８】
（ステップＳ１０３）ニックネーム情報送信部４２は、ステップＳ１０２で取得したアドレス等の情報を用いて、ニックネーム情報を情報処理装置１に送信する。そして、ステップＳ１０１に戻る。
【００２９】
次に、図３のフローチャートについて説明する。
（ステップＳ２０１）ニックネーム情報受信部１１は、ニックネーム情報を受信したかどうか判断する。そして、ニックネーム情報を受信した場合には、そのニックネーム情報をアクセス情報取得部１２に渡してステップＳ２０２に進み、そうでない場合には、ニックネーム情報を受信するまでステップＳ２０１の処理を繰り返す。
【００３０】
（ステップＳ２０２）アクセス情報取得部１２は、ニックネーム情報受信部１１から受け取ったニックネーム情報に対応するアクセス情報を、対応情報サーバ装置５にアクセスすることによって取得する。そして、その取得したアクセス情報を制御情報取得部１３に渡す。
【００３１】
（ステップＳ２０３）制御情報取得部１３は、アクセス情報取得部１２から受け取ったアクセス情報を用いて制御情報サーバ装置６にアクセスし、制御情報サーバ装置６から制御情報を取得する。そして、その取得した制御情報を制御部１４に渡す。
【００３２】
（ステップＳ２０４）制御部１４は、制御情報取得部１３から受け取った制御情報に基づいて、情報処理装置１の制御を行う。そして、ステップＳ２０１に戻る。
なお、図２、図３のフローチャートにおいて、電源オフや処理終了の割り込みにより処
理は終了する。
【００３３】
次に、本実施の形態による情報処理システムの動作について、具体例を用いて説明する。この具体例において、情報処理装置１は冷蔵庫であり、端末装置３は携帯電話であるとする。ユーザは、携帯電話としての端末装置３（以下、「携帯電話３」とすることもある）から、冷蔵庫としての情報処理装置１（以下、「冷蔵庫１」とすることもある）にアクセスすることにより、冷蔵庫１に入っている食品を知ることができるものとする。冷蔵庫１は、各食品に付けられているＩＣタグを読み取ることにより、どのような食品が冷蔵庫１に入っているのかを知ることができるものとする。
【００３４】
ユーザは、会社からの帰宅途中に携帯電話３を操作し、図４で示されるようにディスプレイ３２に携帯電話３からアクセス可能な情報処理装置の一覧を表示させたとする。この表示において、図４で示されるように「ビールの冷蔵庫」を選択し、ＯＫボタン３１を押したとする。すると、携帯電話３においてニックネーム情報「ビールの冷蔵庫」を選択する旨が受け付けられる。携帯電話３は、ニックネーム情報と、装置識別子との対応を示す情報である図５で示される識別子情報を参照し、選択された「ビールの冷蔵庫」に対応する装置識別子「ＡＡＡ００１」を取得する。そして、図６で示されるように、ニックネーム情報「ビールの冷蔵庫」と、装置識別子「ＡＡＡ００１」とをペイロードに有する要求情報を構成し、その要求情報をあらかじめ記憶しているサーバ装置４のアドレスに送信する。
【００３５】
携帯電話３から送信された要求情報は、要求情報受信部４１において受信される（ステップＳ１０１）。サーバ装置４では、情報処理装置の装置識別子に対応付けられて、その情報処理装置のアドレス等を示すアドレス情報があらかじめ保持されている。図７は、装置識別子と、アドレス情報との対応を示す情報である送信先情報の一例を示す図である。この送信先情報は、通信処理装置２のＷＡＮ側のＩＰアドレスやポート番号が変更された場合には、その変更に応じて更新されるものとする。この更新は、例えば、情報処理装置１から反復して送信されるパケットに基づいてなされるものとする。また、図７において、装置識別子「ＡＡＡ００１」、「ＢＢＢ１１１」、「ＣＣＣ３２１」は、同一のＩＰアドレスに対応している。したがって、これらの装置識別子で識別される３個の情報処理装置は、同一の通信処理装置２に接続されている。
【００３６】
ニックネーム情報送信部４２は、要求情報受信部４１が受信した要求情報のペイロードに含まれる装置識別子「ＡＡＡ００１」に対応するアドレス情報を図７の送信先情報から取得する（ステップＳ１０２）。ニックネーム情報送信部４２は、その取得したアドレス情報を用いて、ニックネーム情報「ビールの冷蔵庫」をＩＰアドレス「２０２．２２４．１３５．１０」、ポート番号「２３４５６」に送信する（ステップＳ１０３）。このＩＰアドレスや、ポート番号は、通信処理装置２のアドレス等であり、通信処理装置２においてアドレス変換されて情報処理装置１に渡される。
【００３７】
情報処理装置１のニックネーム情報受信部１１は、サーバ装置４から送信されたニックネーム情報を、通信処理装置２を介して受信する（ステップＳ２０１）。ここで、対応情報サーバ装置５は、図８で示される対応情報を記憶しているものとする。アクセス情報取得部１２は、あらかじめ対応情報サーバ装置５のアドレスを知っており、対応情報サーバ装置５で記憶されている対応情報にアクセスし、ニックネーム情報受信部１１で受信されたニックネーム情報「ビールの冷蔵庫」に対応するアクセス情報「ｈｔｔｐ：／／ｗｗｗ．ｐａｎａ...．ｃｏ．ｊｐ／ｃｏｎｔｒｏｌ／ｂｅｅｒｆｒｉｄｇｅ」を取得する（ステップＳ２０２）。
【００３８】
制御情報取得部１３は、アクセス情報取得部１２によって取得されたアクセス情報を用
いて、制御情報サーバ装置６における、アクセス情報の示すＵＲＬにアクセスし、そこからニックネーム情報「ビールの冷蔵庫」に対応する制御情報を取得する（ステップＳ２０３）。ここで、制御情報サーバ装置６では、図８のアクセス情報で示されるＵＲＬに各制御情報が保持されているものとする。
【００３９】
このニックネーム情報「ビールの冷蔵庫」に対応する制御情報は、冷蔵庫１に入っている食品等のうち、アルコールについてのみ、端末装置３に送信するものである。冷蔵庫１は、上記のように食品等に付けられたＩＣタグを読み取ることにより、図９で示される食品情報を取得したとする。この図９の食品情報において、食品の商品名と、そのジャンルと、数量とが対応付けられている。したがって、制御部１４は、この食品情報からジャンルが「アルコール」である商品名「ＡＢＣビール」、「ＸＹＺビール」と、それぞれの数量「２個」、「１個」とを取得し、それらを含む情報である検索結果情報をサーバ装置４に送信するように制御を行う（ステップＳ２０４）。その検索結果情報は、情報処理装置１の図示しない送信部からサーバ装置４に送信される。
【００４０】
サーバ装置４の図示しない通信部は、その検索結果情報を受信し、その検索結果情報を要求情報の送信元である携帯電話３に送信する。このようにして、携帯電話３で検索結果情報が受信され、携帯電話３のディスプレイ３２に、図１０で示される表示がなされる。このようにして、ユーザは、冷蔵庫１で「ＡＢＣビール」が２個、「ＸＹＺビール」が１個冷えていることを知ることができる。したがって、ユーザは、帰宅途中にビールを買って帰らなくても、家に帰れば、冷たいビールを飲むことができることをすぐに知ることができる。
【００４１】
次に、ユーザが夕食の材料を買い物に行っているときに、冷蔵庫１にどのような食材が入っているのかをチェックする場合について説明する。この場合には、図４の表示において、「食材の冷蔵庫」を選択し、ＯＫボタン３１を押す。すると、上記説明と同様にして、ニックネーム情報「食材の冷蔵庫」がサーバ装置４から情報処理装置１に送信される。すると、ニックネーム情報「ビールの冷蔵庫」の場合と同様にして、ニックネーム情報「食材の冷蔵庫」に対応する制御情報が取得される。そして、そのニックネーム情報「食材の冷蔵庫」に対応する制御情報によって、図９の食品情報から、ジャンルが「魚」、「肉」、「野菜」である商品名と、対応する数量とが取得され、それらを含む情報である検索結果情報がサーバ装置４を介して端末装置３に送信される。その結果、携帯電話３のディスプレイ３２に、図１１で示される表示がなされる。このようにして、ユーザは、「サバの切身」や、「トリ肉」、「レタス」などの食材が冷蔵庫１に入っていることを知ることができる。したがって、ユーザは、トリ肉やレタスなどを買わなくてもよいことを知ることができる。
【００４２】
なお、この具体例では、情報処理装置１が冷蔵庫である場合について説明したが、情報処理装置１は、前述のように、その他の装置であってもよい。例えば、情報処理装置１がエアコン（空調装置）であり、ニックネーム情報「パパのエアコン」を情報処理装置１が受信した場合には、そのニックネーム情報「パパのエアコン」に対応する制御情報に基づいて、設定温度が２６℃となるように制御され、ニックネーム情報「ママのエアコン」を情報処理装置１が受信した場合には、そのニックネーム情報「ママのエアコン」に対応する制御情報に基づいて、設定温度が２８℃となるように制御されてもよい。
【００４３】
以上のように、本実施の形態による情報処理システムによれば、ユーザが情報処理装置１にアクセスするときに用いるニックネーム情報に対応する制御情報によって情報処理装置１の制御が行われることにより、ユーザ自らが細かい設定などを行うことなく、ユーザ所望の制御を情報処理装置１において行うことができる。また、ニックネーム情報と、制御情報とが対応付けられていることにより、ユーザは、ニックネーム情報を端末装置３に
入力したり、端末装置３においてニックネーム情報を選択したりするときに、直感的にどのような操作がなされるのかを容易に知ることができる。例えば、ニックネーム情報「ビールの冷蔵庫」であれば、ユーザは、そのニックネーム情報から、ビールに関する情報を取得して送信する制御が行われる旨を直感的に知ることができる。したがって、同様の制御情報を、例えば、制御情報の識別情報「ＸＹＺ００１」などによって示す場合に比べて、ユーザの操作性が向上するというメリットがある。
【００４４】
なお、本実施の形態の具体例では、情報処理装置１に２以上のニックネーム情報が対応している場合について説明したが、情報処理装置１には、１個のニックネーム情報が対応していてもよい。すなわち、ニックネーム情報を用いて情報処理装置１にアクセスした場合には、そのニックネーム情報に対応した制御がなされ、ニックネーム情報を用いることなく情報処理装置１にアクセスした場合（例えば、装置識別子を用いてアクセスしたような場合）には、端末装置３から送信された指示に基づいて、情報処理装置１における設定や制御がなされるようにしてもよい。
【００４５】
（実施の形態２）
本発明の実施の形態２による情報処理システムについて、図面を参照しながら説明する。本実施の形態による情報処理システムは、情報処理装置が対応情報と、制御情報を保持しているものである。
【００４６】
図１２は、本実施の形態による情報処理システムの構成を示す図である。図１２において、通信処理装置２、端末装置３、サーバ装置４は、実施の形態１と同様であり、その説明を省略する。
【００４７】
情報処理装置７は、ニックネーム情報受信部１１と、アクセス情報取得部１２と、制御情報取得部１３と、制御部１４と、対応情報記憶部１５と、制御情報記憶部１６とを備える。なお、対応情報記憶部１５、制御情報記憶部１６以外の構成及び動作は、アクセス情報取得部１２が対応情報サーバ装置５からではなく、対応情報記憶部１５からアクセス情報を取得し、制御情報取得部１３が制御情報サーバ装置６からではなく制御情報記憶部１６から制御情報を取得する以外、実施の形態１と同様であり、その説明を省略する。なお、アクセス情報取得部１２と、制御情報取得部１３は、同一の装置内の記憶部から情報を取得するため、通信デバイスを持たなくてよい。
【００４８】
対応情報記憶部１５は、対応情報を記憶している。対応情報記憶部１５は、所定の記録媒体（例えば、半導体メモリや磁気ディスク、光ディスクなど）によって実現され得る。なお、この対応情報は、実施の形態１における対応情報サーバ装置５のように、サーバ装置において保持されているものが取得され、蓄積されたものであってもよく、独自に作成された対応情報が蓄積されたものであってもよい。
【００４９】
制御情報記憶部１６は、制御情報を記憶している。制御情報記憶部１６は、所定の記録媒体（例えば、半導体メモリや磁気ディスク、光ディスクなど）によって実現され得る。なお、この制御情報は、実施の形態１における制御情報サーバ装置６のように、サーバ装置において保持されているものが取得され、蓄積されたものであってもよく、独自に作成された制御情報が蓄積されたものであってもよい。
【００５０】
なお、対応情報記憶部１５と、制御情報記憶部１６とは、同一の記録媒体によって実現されてもよく、別の記録媒体によって実現されてもよい。前者の場合には、対応情報を記憶している領域が対応情報記憶部１５となり、制御情報を記憶している領域が制御情報記憶部１６となる。
【００５１】
次に、本実施の形態による情報処理システムの動作について説明する。サーバ装置４の動作は、実施の形態１で説明した図２のフローチャートで示される動作と同様であり、その説明を省略する。図１３は、本実施の形態による情報処理装置７の動作を示すフローチャートである。図１３のフローチャートにおいて、ステップＳ２０１、Ｓ２０４は、実施の形態１で説明した図３のフローチャートと同様であり、その説明を省略する。
【００５２】
（ステップＳ３０１）アクセス情報取得部１２は、ニックネーム情報受信部１１から受け取ったニックネーム情報に対応するアクセス情報を、対応情報記憶部１５にアクセスすることによって取得する。そして、その取得したアクセス情報を制御情報取得部１３に渡す。
【００５３】
（ステップＳ３０２）制御情報取得部１３は、アクセス情報取得部１２から受け取ったアクセス情報を用いて制御情報記憶部１６にアクセスし、制御情報記憶部１６から制御情報を取得する。そして、その取得した制御情報を制御部１４に渡す。
【００５４】
なお、本実施の形態による情報処理システムの動作の具体例については、実施の形態１と同様であり、その説明を省略する。ただし、対応情報記憶部１５が記憶している対応情報は、例えば、図１４で示されるように、制御情報記憶部１６における制御情報のパスを示す情報となる。
【００５５】
以上のように、本実施の形態による情報処理システムによれば、対応情報、制御情報を情報処理装置７において保持している場合であっても、実施の形態１と同様に、ニックネーム情報に対応する制御が情報処理装置７においてなされることになり、実施の形態１と同様の効果を得ることができる。
【００５６】
（実施の形態３）
図１５で示されるように、対応情報は、対応情報サーバ装置５で記憶されており、制御情報は、情報処理装置８の制御情報記憶部１６で記憶されていてもよい。図１５で示される情報処理システムの各装置の構成や動作は、上記各実施の形態の説明と同様であり、その説明を省略する。
【００５７】
（実施の形態４）
図１６で示されるように、対応情報は、情報処理装置９の対応情報記憶部１５で記憶されており、制御情報は、制御情報サーバ装置６で記憶されていてもよい。図１６で示される情報処理システムの各装置の構成や動作は、上記各実施の形態の説明と同様であり、その説明を省略する。
【００５８】
なお、上記各実施の形態において、情報処理装置が通信処理装置２を介して通信を行う場合について説明したが、情報処理装置が通信処理装置２を介さないで、通信を行ってもよい。
【００５９】
また、上記各実施の形態では、サーバ装置４からニックネーム情報が情報処理装置に送信され、ニックネーム情報に基づいたアクセス情報の取得が情報処理装置において行われる場合について説明したが、アクセス情報を取得する処理は、端末装置３において、ニックネーム情報が受け付けられてから、情報処理装置において制御情報が取得されるまでの間で実行されればよい。例えば、端末装置３において、ニックネーム情報に基づいたアクセス情報の取得が行われ、そのアクセス情報がサーバ装置４を介して情報処理装置に送信され、情報処理装置において、そのアクセス情報に基づいた制御情報の取得が行われてもよい。また、サーバ装置４において、ニックネーム情報に基づいたアクセス情報の取得が行われ、そのアクセス情報が情報処理装置に送信され、情報処理装置において、そのアク
セス情報に基づいた制御情報の取得が行われてもよい。
【００６０】
このように、情報処理システムは、以下のようなものであってもよい。すなわち、情報処理システムは、端末装置と、サーバ装置と、情報処理装置とを備えた情報処理システムであって、前記端末装置において前記情報処理装置のニックネームを示す情報であるニックネーム情報が受け付けられ、当該ニックネーム情報に関する情報が前記サーバ装置を経由して前記端末装置から前記情報処理装置に送信され、前記情報処理装置において、前記サーバ装置から送信された情報に基づいて、前記端末装置で受け付けられたニックネーム情報に対応する情報であり、前記情報処理装置の制御に関する情報である制御情報が取得され、前記情報処理装置で当該制御情報を用いた制御が行われるものである。ここで、端末装置でのニックネーム情報の受け付けは、キーボードなどの入力デバイスや、通信デバイスを介したニックネーム情報の受け付けであってもよく、あらかじめ端末装置３が保持している複数のニックネーム情報からの選択であってもよく、ニックネーム情報が特定されるのであれば、その受け付けの方法を問わない。「ニックネーム情報に関する情報」とは、ニックネーム情報そのものであってもよく、ニックネーム情報に対応するアクセス情報であってもよい。「サーバ装置から送信された情報」とは、ニックネーム情報であってもよく、ニックネーム情報に対応するアクセス情報であってもよい。なお、この情報処理システムにおいても、情報処理装置は、通信処理装置を介して通信を行ってもよい。
【００６１】
また、上記各実施の形態では、サーバ装置をＩＰアドレスによって特定してもよく、あるいは、サーバ装置をドメイン名（例えば、ｓｅｒｖｅｒ．ｐａｎａ．ｎｅｔなど）によって特定してもよい。後者の場合には、そのドメイン名がＤＮＳサーバを用いて、ＩＰアドレスに変換されることにより、サーバ装置を特定することができる。
【００６２】
また、上記各実施の形態における通信プロトコルは、例えば、ＩＰｖ４（Ｉｎｔｅｒｎｅｔ  Ｐｒｏｔｏｃｏｌ  ｖｅｒｓｉｏｎ  ４）であってもよく、あるいは、ＩＰｖ６（Ｉｎｔｅｒｎｅｔ  Ｐｒｏｔｏｃｏｌ  ｖｅｒｓｉｏｎ  ６）であってもよい。
【００６３】
また、上記各実施の形態において、各処理（各機能）は、単一の装置（システム）によって集中処理されることによって実現されてもよく、あるいは、複数の装置によって分散処理されることによって実現されてもよい。
【００６４】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記各実施の形態におけるサーバ装置を実現するソフトウェアは、以下のようなプログラムである。つまり、このプログラムは、コンピュータに、サーバ装置と、情報処理装置とを備えた情報処理システムを構成する前記サーバ装置における処理を実行させるためのプログラムであって、前記情報処理装置のニックネームを示す情報であるニックネーム情報を含む情報であり、当該ニックネーム情報の前記情報処理装置への送信を要求する情報である要求情報を受信する要求情報受信ステップと、前記要求情報に応じて、前記ニックネーム情報を前記情報処理装置に送信するニックネーム情報送信ステップと、を実行させるためのものである。
【００６５】
また、上記各実施の形態における情報処理装置を実現するソフトウェアは、以下のようなプログラムである。つまり、このプログラムは、コンピュータに、サーバ装置と、情報処理装置とを備えた情報処理システムにおける前記情報処理装置における処理を実行させるためのプログラムであって、前記情報処理装置のニックネームを示す情報であるニックネーム情報を受信するニックネーム情報受信ステップと、前記ニックネーム情報と、当該
ニックネーム情報に対応する、前記情報処理装置の制御に関する情報である制御情報を取得するための情報であるアクセス情報とを対応付ける情報である対応情報にアクセスし、前記ニックネーム情報受信ステップで受信したニックネーム情報に対応するアクセス情報を取得するアクセス情報取得ステップと、前記アクセス情報取得ステップで取得したアクセス情報を用いて、前記制御情報を取得する制御情報取得ステップと、前記制御情報取得ステップで取得した制御情報に基づいて、前記情報処理装置における制御を行う制御ステップと、を実行させるためのものである。
【００６６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【００６７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。
【００６８】
また、このプログラムを実行するコンピュータは、単数であってもよく、複数であってもよい。すなわち、集中処理を行ってもよく、あるいは分散処理を行ってもよい。
また、本発明は、以上の実施の形態に限定されることなく、種々の変更が可能であり、それらも本発明の範囲内に包含されるものであることは言うまでもない。
【産業上の利用可能性】
【００６９】
以上より、本発明による情報処理システム等は、ユーザが外部の端末装置からアクセスする情報処理装置のニックネームを示す情報であるニックネーム情報を用いることにより、そのニックネーム情報に対応した制御が情報処理装置において行われるものであり、情報処理装置と、サーバ装置とを備える情報処理システム等として有用である。
【図面の簡単な説明】
【００７０】
【図１】本発明の実施の形態１による情報処理システムの構成を示す図
【図２】同実施の形態によるサーバ装置の動作を示すフローチャート
【図３】同実施の形態による情報処理装置の動作を示すフローチャート
【図４】同実施の形態による携帯電話の表示の一例を示す図
【図５】同実施の形態における識別子情報の一例を示す図
【図６】同実施の形態における要求情報の構成の一例を示す図
【図７】同実施の形態における送信先情報の一例を示す図
【図８】同実施の形態における対応情報の一例を示す図
【図９】同実施の形態における食品情報の一例を示す図
【図１０】同実施の形態による携帯電話の表示の一例を示す図
【図１１】同実施の形態による携帯電話の表示の一例を示す図
【図１２】本発明の実施の形態２による情報処理システムの構成を示す図
【図１３】同実施の形態による情報処理装置の動作を示すフローチャート
【図１４】同実施の形態における対応情報の一例を示す図
【図１５】本発明の実施の形態３による情報処理システムの構成を示す図
【図１６】本発明の実施の形態４による情報処理システムの構成を示す図
【符号の説明】
【００７１】
１，７，８，９  情報処理装置
２  通信処理装置
３  端末装置
４  サーバ装置
５  対応情報サーバ装置
６  制御情報サーバ装置
１１  ニックネーム情報受信部
１２  アクセス情報取得部
１３  制御情報取得部
１４  制御部
１５  対応情報記憶部
１６  制御情報記憶部
４１  要求情報受信部
４２  ニックネーム情報送信部
【図１】
2006146405.tif 000003
【図２】
2006146405.tif 000004
【図３】
2006146405.tif 000005
【図４】
2006146405.tif 000006
【図５】
2006146405.tif 000007
【図６】
2006146405.tif 000008
【図７】
2006146405.tif 000009
【図８】
2006146405.tif 000010
【図９】
2006146405.tif 000011
【図１０】
2006146405.tif 000012
【図１１】
2006146405.tif 000013
【図１２】
2006146405.tif 000014
【図１３】
2006146405.tif 000015
【図１４】
2006146405.tif 000016
【図１５】
2006146405.tif 000017
【図１６】
2006146405.tif 000018